(57)【要約】【課題】本発明は、メモリカードを収容する収容空間内に設置されている接続部が見えるカメラを提供することを目的とする。【解決手段】本発明に係るカメラは、本体と、メモリカードとを備える。本体には収容空間及びスロットが設けられ、収容空間は、底壁と、底壁の両端部にそれぞれ連接された下壁及び上壁を備え、下壁には蓋体が枢動可能に連接され、蓋体の末端にはブロック部が設置され、底壁には第一接続部及び第二接続部が設置され、各第一接続部及び各第二接続部は、底壁に固定された連接部と連接部の一端から斜めに延在する弾性部を備え、底壁に近づける方向に蓋体を枢動させると、メモリカードは蓋体と第一接続部及び第二接続部との間に挟まれ、ピンは、第二接続部の弾性部を押圧した後、第一接続部の弾性部を押圧し、弾性部が、対応する連接部にそれぞれ接触すると、ブロック部はスロットに係合される。【選択図】図１
2014228869.tif 000002
【特許請求の範囲】
【請求項１】
本体と、
ピンを有するメモリカードと、
を備えるカメラであって、
前記本体には収容空間及びスロットが設けられ、前記収容空間は、底壁と、該底壁の両端にそれぞれ連接された下壁及び上壁と、を備え、前記下壁には蓋体が枢動可能に連接され、前記蓋体の末端にはブロック部が設置され、前記底壁には第一接続部及び第二接続部が設置され、前記各第一接続部及び前記各第二接続部は、前記底壁に固定された連接部と、前記連接部の一端から他端へ斜めに延在する弾性部と、を備え、前記第二接続部の連接部と弾性部との間に形成された角度は、前記第一接続部の連接部と弾性部との間に形成された角度より大きく、前記底壁に近づける方向に前記蓋体を枢動させると、前記メモリカードは、前記蓋体と前記第一接続部及び前記第二接続部との間に挟まれ、前記ピンは、前記第二接続部の弾性部を押圧してから前記第一接続部の弾性部を押圧し、前記弾性部が、対応する前記連接部にそれぞれ接触すると、前記ブロック部は前記スロットに係合されることを特徴とするカメラ。
【請求項２】
前記蓋体の末端には前記底壁へ延在し且つ前記上壁に当接する延長部が設置され、前記ブロック部は前記延長部上に設置され、前記スロットは前記上壁を貫通して前記収容空間に連通することを特徴とする請求項１に記載のカメラ。
【請求項３】
前記延長部には固定部が設置され、前記固定部は前記延長部から垂直に延在する連接片と、前記連接片から前記底壁と離れる方向に延在する延長片と、を備え、前記ブロック部は前記延長片上に設置されることを特徴とする請求項２に記載のカメラ。
【発明の詳細な説明】
【技術分野】
【０００１】
本発明は、カメラに関するものである。
【背景技術】
【０００２】
従来の技術において、カメラには一般的に、メモリカードを収容する狭い収容空間が設けられており、ユーザーは、この収容空間を封じている蓋体を開けて、メモリカードをスロット内に挿入する。しかし収容空間は狭いため、設置されている接続部が収容空間のどの内壁に設置されているのかが、わかりにくい。従って、メモリカードの向きを誤って挿入した場合、メモリカードを一旦取り出してメモリカードの向きを変えた後に、収容空間に再度挿入しなければならないため、不便である。
【発明の概要】
【発明が解決しようとする課題】
【０００３】
本発明の目的は、前記問題を解決し、メモリカードを収容する収容空間内に設置されている接続部が見えるカメラを提供することである。
【課題を解決するための手段】
【０００４】
上記目的を達成するために、本発明に係るカメラは、本体と、メモリカードと、を備える。前記本体には収容空間及びスロットが設けられ、前記収容空間は、底壁と、該底壁の対向する２つの端部にそれぞれ連接された下壁及び上壁を備え、前記下壁に蓋体が枢動可能に連接され、前記蓋体の下壁と枢動可能に連接された端部と対向するもう一方の端部にはブロック部が設置され、前記底壁には第一接続部及び第二接続部が設置され、各前記第一接続部及び各前記第二接続部は、前記底壁に固定された連接部と、該連接部の一端から斜めに延在する弾性部とを備え、前記底壁に近づける方向に前記蓋体を枢動させると、前記メモリカードは前記蓋体と前記第一接続部及び前記第二接続部との間に挟まれ、メモリカードのピンは前記第二接続部の弾性部を押圧した後、第一接続部の弾性部を押圧し、弾性部が、対応する連接部にそれぞれ接触すると、ブロックはスロットに係合される。
【発明の効果】
【０００５】
本発明に係るカメラによれば、ユーザーが、蓋体を前記底壁から離れる方向に枢動させることにより、メモリカードを収容空間内に挿入する前に、第一接続部及び第二接続部を見ることができるため、メモリカードのピンを第一接続部及び第二接続部に対向させて、メモリカードを収容空間内に挿入することができる。従って、メモリカードの向きを誤って収容空間内に挿入することを防ぐことができる。
【図面の簡単な説明】
【０００６】
【図１】本発明の実施形態に係るカメラの固定部が開いた状態を示す図である。
【発明を実施するための形態】
【０００７】
図１に示したように、本発明の実施形態に係るカメラは、本体１０と、メモリカード２０と、を備える。
【０００８】
本体１０の一つの側面には、収容空間１２及び収容空間１２と連通するスロット１２６が設けられている。収容空間１２は、底壁１２０と、底壁１２０の対向する２つの端部にそれぞれ垂直に連接された上壁１２２及び下壁１２４とを備える。スロット１２６は上壁１２２を貫通して収容空間１２と連通する。下壁１２４には、蓋体１４が枢動可能に連接されている。
【０００９】
底壁１２０において下壁１２４に隣接する箇所には、複数の第一接続部１６と２つの第二接続部１７とが設置されている。第一接続部１６は、下壁１２４に平行な列を成すように配列されている。第二接続部１７は複数の第一接続部１６のうちの２つの第一接続部１６の間に位置する。各第一接続部１６及び各第二接続部１７は、底壁１２０に固定される連接部１６０と、連接部１６０において下壁１２４から上壁１２２の方向へ斜め上方に延在する弾性部１６２と、を備える。第二接続部１７の連接部１６０と弾性部１６２との間に形成される角度は、第一接続部１６の連接部１６０と弾性部１６２との間に形成される角度より大きい。
【００１０】
蓋体１４は、下壁１２４に枢動可能に装着された板体１４０と、板体１４０の上端から底壁１２０に向かって垂直に延在する延長部１４２と、延長部１４２の上面に設置された固定部１４４と、を備える。固定部１４４は、延長部１４２の上面に対して垂直に連接された連接片１４６と、連接片１４６の上端から底壁１２０と離れる方向に垂直に延在する延長片１４８と、延長片１４８の上面に突設されたブロック部１５０と、延長片１４８の末端から上方へ向けて垂直に延在する操作片１５２と、を備える。ブロック部１５０の連接片１４６に面する面は延長部１４２の外面に対して斜面を呈する。
【００１１】
メモリカード２０を装着する際、メモリカード２０のピン２２が第一接続部１６及び第二接続部１７に面するように、メモリカード２０を収容空間１２内に収容した後、蓋体１４と第一接続部１６及び第二接続部１７との間に挿入する。次いで、蓋体１４を底壁１２０に向けて枢動させてメモリカード２０を連動させて底壁１２０の方向に向けて移動させる。この際、ピン２２は先ず第二接続部１７の弾性部１６２に接触して該弾性部１６２を押圧した後、第一接続部１６の弾性部１６２に接触して、該弾性部１６２を押圧する。弾性部１６２が、対応する連接部１６０にそれぞれ当接すると、延長部１４２は上壁１２２に当接して、収容空間１２を密封する。ブロック部１５０は、スロット１２６内に係合され、蓋体１４及びメモリカード２０を固定する。
【００１２】
メモリカード２０を取り外す際、操作片１５２を操作して、延長片１４８を弾性的に変形させて、ブロック部１５０をスロット１２６から離脱させる。次いで、底壁１２０と離れる方向に蓋体１４を枢動させると、メモリカード２０を収容空間１２から取り出すことができる。
【００１３】
本発明に係るカメラでは、ユーザーは、蓋体１４を本体１０から離れる方向へ枢動させることにより、メモリカードを収容空間１２内に挿入する前に、第一接続部１６及び第二接続部１７を見ることができるため、メモリカード２０のピン２２を第一接続部１６及び第二接続部１７に対向させて、メモリカード２２を収容空間１２内に挿入することができる。従って、メモリカード２２の向きを誤って収容空間１２内に挿入することを防ぐことができる。
【符号の説明】
【００１４】
１０  本体
１２  収容空間
１２０  底壁
１２２  上壁
１２４  下壁
１２６  スロット
１４  蓋体
１４０  板体
１４２  延長部
１４４  固定部
１４６  連接片
１４８  延長片
１５０  ブロック部
１５２  操作片
１６  第一接続部
１６０  連接部
１６２  弾性部
１７  第二接続部
２０  メモリカード
２２  ピン
【図１】
2014228869.tif 000003